(57)【要約】      （修正有）【課題】自分の好みに高さ・幅を調節可能な枕を提供する。【解決手段】枕１０は、中央部１２と、中央部１２の両側に配置され、貫通穴１４を備えた側部１６と、貫通穴１４を通過して折り返される固定部材１８とを備える。中央部１２は頭をのせるクッションになっている。側部１６も中央部１２と同じようにクッションになっている。側部１６は中央部１２よりも高さが高くなっている。固定部材１８は中央部１２から貫通穴１４を通過し、側部１６の外側に折り返されて中央部１２で固定される。【選択図】図１
0003214178.tif 000002
【実用新案登録請求の範囲】
【請求項１】
中央部と、
前記中央部の両側に配置され、中央部よりも高さの高い側部と、
前記側部に設けられた貫通穴と、
前記中央部から貫通穴を通過し、側部の外周から中央部に折り返され、中央部に固定される固定部材と、
を備えた枕。
【請求項２】
前記中央部と側部の硬さが異なる請求項１の枕。
【請求項３】
前記固定部材が中央部を覆うカバーの一部である請求項１または２の枕。
【請求項４】
前記貫通穴は、側部における中央部側の中央に開口を有し、かつ側部における中央部側の反対側の中央以外に開口を有する請求項１から３のいずれかの枕。
【請求項５】
前記側部の端の高さが上がった請求項１から４のいずれかの枕。
【請求項６】
前記端部が人に向けて曲がった請求項１から５のいずれかの枕。
【考案の詳細な説明】
【技術分野】
【０００１】
本考案は、就寝時に利用できる枕に関するものである。
【背景技術】
【０００２】
従来、種々の枕が開発および発売されている。下記の特許文献１に種々の姿勢に対応できる枕が開示されている。その枕は異なる高さ・幅の袋体を面ファスナーで一体にした枕である。
【０００３】
しかし、面ファスナーを使用して固定しているため、枕のクッション性が損なわれる。また、枕が動きにくく、頭が固定されて、肩こりになり、安眠できない恐れもある。
【先行技術文献】
【特許文献】
【０００４】
【特許文献１】登録実用新案公報第３０５６２１３号
【考案の概要】
【考案が解決しようとする課題】
【０００５】
本考案は、自分の好みに高さ・幅を調節可能な枕を提供することを目的とする。
【課題を解決するための手段】
【０００６】
本考案の枕は、中央部と、前記中央部の両側に配置され、中央部よりも高さの高い側部と、前記側部に設けられた貫通穴と、前記中央部から貫通穴を通過し、側部の外周から中央部に折り返され、中央部に固定される固定部材とを備える。
【０００７】
前記中央部と側部の硬さは異なっても良い。前記固定部材が中央部を覆うカバーの一部であっても良い。前記貫通穴は、側部における中央部側の中央に開口を有し、かつ側部における中央部側の反対側の中央以外に開口を有しても良い。
【考案の効果】
【０００８】
本考案によると、中央部と側部を有しており、体形に合わせて取り替えることができる。自分の好みの高さ・幅に調節することができる。従来技術のように、面ファスナーを使用しないため、枕のクッション性を損なわない。
【図面の簡単な説明】
【０００９】
【図１】本考案の枕の構成を示す図である。
【図２】本考案の枕の側部を示す図である。
【図３】本考案の枕の中央部と固定部材を示す図である。
【図４】本考案の枕の側部の端が持ち上がった状態を示す図である。
【図５】本考案の枕が横向けに寝たときに曲がる様子を示す図である。
【図６】中央部が複数の高さを有する枕の構成を示す図である。
【図７】中央部と側部の高さを揃えた部分が有る枕の構成を示す図である。
【図８】（ａ）は凹みを有する中央部であり、（ｂ）は凹みと膨らみを有する中央部である。
【図９】等幅の貫通穴を有する側部の構成を示す図である。
【図１０】紐状の固定部材を示す図である。
【考案を実施するための形態】
【００１０】
本考案の枕について図面を用いて説明する。図面は説明のために模式的に示している。
【００１１】
図１に示す本考案の枕１０は、中央部１２、中央部１２の両側に配置され、貫通穴１４を備えた側部１６、貫通穴１４を通過して折り返される固定部材１８を備える。
【００１２】
中央部１２は頭をのせるクッションになっている。形状は特に限定されず、円柱形や直方体などであり、角は丸められていても良い。中央部１２は、発泡ポリウレタン（ウレタンフォーム）、発泡ポリエステル、またはポリエチレン樹脂性パイプ状チップやそばがらなどを袋に詰めたものなどである。たとえば中央部１２の長さは２５ｃｍ、高さは６ｃｍであるが、使用者の体形に応じて適宜変更しても良い。
【００１３】
側部１６も中央部１２と同じようにクッションになっている。側部１６は中央部１２よりも高さが高くなっている。中央部１２と側部１６の段差は、仰向けで中央部１２に後頭部をのせた時、耳が側部１６にのるような段差になるようにする。また、頬も側部１６に軽く触れるようになる。中央部１２と側部１６の段差は２〜３ｃｍほどであるが、中央部１２と側部１６の高さは使用者に応じて適宜組み合わせる。耳が側部１６に軽く当たることで深い睡眠に入りやすい。側部１６の形状も特に限定されず、円柱形や直方体などである。側部１６も中央部１２と同じように発泡ポリウレタン（ウレタンフォーム）、発泡ポリエステル、またはポリエチレン樹脂性パイプ状チップやそば殻などを袋に詰めたものなどである。たとえば側部１６の長さは２５ｃｍ、高さは８〜１０ｃｍであるが、使用者の体形に応じて適宜変更しても良い。
【００１４】
中央部１２と側部１６の硬さは同じでなくても良い。中央部１２を側部１６よりも柔らかくする。仰向けに寝ているときは中央部１２に後頭部をのせ、その時に中央部１２が下に向けて沈みやすくなっている。横向けに寝たときに、側頭部を側部１６にのせ、その時にあまり沈まないようになっている。横向けに寝たときに、頭が下がりにくくなる。中央部１２と側部１６の硬さを変えるために、中央部１２と側部１６の材料を異ならせても良い。
【００１５】
側部１６に設けられた貫通穴１４は、中央部１２側からその反対側へ貫通する穴である。中央部１２側の開口２０は側部１６の側方中央に設けられ、反対側の開口２４は側部１６の側方中央と端の間に設けられている。反対側の開口２２が中心からずれていることで、固定部材１８を側部１６の外側に折り返しやすくなっている。中央部１２側の開口２０が反対側の開口２２に比べて大きくなっていることで、固定部材１８が貫通穴１４に入れやすくなっている。
【００１６】
固定部材１８は中央部１２から貫通穴１４を通過し、側部１６の外側に折り返されて中央部１２で固定されるものである。固定部材１８は、図３に示すように、貫通穴１４の通過部２４、側部１６の外側に折り返される折り返し部２６、２つに分かれて中央部１２に巻きつけて結ばれる固定部２８からなる。たとえば、中央部１２を覆う布製カバーの一部を固定部材１８にしても良く、柔軟性を有するものである。また、通過部２４と折り返し部２６の中にポリエチレン樹脂性パイプ状チップやそば殻などを詰め込んでおいても良い。また、柔軟性のある発泡ポリウレタン（ウレタンフォーム）や発泡ポリエステルなどを通過部２４と折り返し部２６の中に詰め込んでも良い。通過部２４と折り返し部２６の長さの合計は３０ｃｍ、固定部２８の長さは６０〜７０ｃｍであるが、中央部１２と側部１６の大きさに応じて適宜変更しても良い。
【００１７】
枕１０を使用する際、（１）体形に応じた大きさの中央部１２と側部１６を準備し、（２）固定部材１８を貫通穴１４に通してから側部１６の外側に折り返し、（３）中央部１２における側部１６の隣接部分で２本の固定部１８を交差させ、中央部１２に巻き付けて縛る。固定部１８を緩めに縛ることで、中央部１２と側部１６の相対的移動の自由度を高め、枕１０が変形しやすくしても良い。横向きに寝るときに体が曲がるが、その時の体の移動に応じて枕１０が変形し易い。
【００１８】
仰向けに寝るときは中央部１２に後頭部をのせ、横向けに寝るときは側部１６に側頭部をのせる。頭をのせていない状態で中央部１２は宙に浮いているが、中央部１２に後頭部をのせたとき、その重みで中央部１２が沈む。寝返りを打とうとしたときに、自然に中央部１２から側部１６に頭がのるため、頸椎への負担が小さくなっている。
【００１９】
本考案の枕１０は、中央部１２と側部１６を備えることで、各部１２、１６を好みの高さの物に変更することができる。そのため、使用者の体型に応じて各部１２、１６の高さを変更することができる。従来技術のように、面ファスナーを使用しないため、枕１０の硬さを損なわない。
【００２０】
また、固定部材１８が側部１６の外側に折り返されて固定部材１８が側部１６の端の下になることで、図４のように、側部１６の端の高さが上がる。側部１６の端の高さが上がることで、寝返りを打った時に側部１６の端よりも外側に移動しようとせず、枕１０から頭が落ちないようになる。横向けに寝たときに、人の体が曲がり、その動きに応じて図５のように側部１６が人に向けて曲がり、枕１０が人に向けて曲がる。枕１０が人の頭が有る方向に曲がるため、枕１０から頭が落ちることがなく、寝ているときに不自然な体勢になりにくい。
【００２１】
本考案は上記の実施形態に限定されない。たとえば、図６の枕４０のように、中央部４２が複数の厚みを有するようにしても良い。たとえば、中央部４２の中ほどに厚みの厚い部分４４を設ける。中央部４２における側部１６と隣り合う部分４６は、側部１６より低い高さになっている。厚みの厚い部分４４は、側部１６と同じ高さである。厚みの厚い部分４４の長さを考慮することで、ダブルベットなどで使用できる枕４０になる。
【００２２】
貫通穴１４の大きさを中央部１２、４２の大きさに合わせ、貫通穴１４に中央部１２、４２の一部が入り込む構成であっても良い。中央部１２、４２の一部が側部１６の中に入って、枕１０、４０の形が崩れにくくなる。
【００２３】
図７の枕５０のように、中央部１２と側部１６の一部が同一の高さになるようにしても良い。その高さの部分を下にして使用する。図１の枕１０は、使用時に中央部１２が下にずれる可能性があるが、図７の枕５０は最初から布団やマットなどに接する部分に段差が無く、枕５０の形状がずれにくい。
【００２４】
図８（ａ）の中央部６０のように、凹み６２を有しても良い。頭や首がのせ易くなっている。また、図８（ｂ）の中央部６４のように、同一方向に曲げられた形状で当ても良い。凹み６６によって頭や首がのせ易く、膨らみ６８によって中央部６４から頭が落ちにくい。
【００２５】
中央部１２、６２、６６の形状は上記の形状に限定されず、三角形等の任意の形状が可能であり、後頭部をのせる部分のみに凹みを形成しても良い。
【００２６】
図９の側部７０のように、貫通穴７２の長さ方向が同形状になっていても良い。貫通穴７２の位置は側部７０の中心であり、２つの開口７４、７６の形状は同形状である。また、図１０の紐状の固定部材８０であっても良い。固定部材８０は通過部８２と折り返し部８４が１本になっており、固定部８６が２本になっている。図１０では、固定部材８０が２つに見えるが、中央部１２の中を貫通する１つの固定部材８０であっても良い。
【００２７】
その他、本考案は、その主旨を逸脱しない範囲で当業者の知識に基づき種々の改良、修正、変更を加えた態様で実施できるものである。
【符号の説明】
【００２８】
１０、４０、５０：枕
１２、４２、６０、６４：中央部
１４、７２：貫通穴
１６、７０：側部
１８、８０：固定部材
２０、２２、７４、７６：開口
２４、８２：通過部
２６、８４：折り返し部
２８、８６：固定部
６２、６６：凹み
６８：膨らみ
【図１】
0003214178.tif 000003
【図２】
0003214178.tif 000004
【図３】
0003214178.tif 000005
【図４】
0003214178.tif 000006
【図５】
0003214178.tif 000007
【図６】
0003214178.tif 000008
【図７】
0003214178.tif 000009
【図８】
0003214178.tif 000010
【図９】
0003214178.tif 000011
【図１０】
0003214178.tif 000012
【手続補正書】
【提出日】平成29年10月27日(2017.10.27)
【手続補正１】
【補正対象書類名】実用新案登録請求の範囲
【補正対象項目名】全文
【補正方法】変更
【補正の内容】
【実用新案登録請求の範囲】
【請求項１】
中央部と、
前記中央部の両側に配置され、中央部よりも高さの高い側部と、
前記側部に設けられた貫通穴と、
前記中央部から貫通穴を通過し、側部の外周から中央部に折り返され、中央部に固定される固定部材と、
を備えた枕。
【請求項２】
前記中央部と側部の硬さが異なる請求項１の枕。
【請求項３】
前記固定部材が中央部を覆うカバーの一部である請求項１または２の枕。
【請求項４】
前記貫通穴は、側部における中央部側の中央に開口を有し、かつ側部における中央部側の反対側の中央以外に開口を有する請求項１から３のいずれかの枕。
【請求項５】
前記側部の端の高さが上がった請求項１から４のいずれかの枕。
【請求項６】
前記側部が人に向けて曲がった請求項１から５のいずれかの枕。